(57)【要約】      （修正有）【課題】誘導電動機の電源＋測に静電誘導トランジスタ、サイリスタを設けたサイリスタ誘導電動機を提供する。【解決手段】接合型電界効果トランジスタの一種で、チャンネル部の不純物を減らし、電流−電圧特性が飽和状態を示さないよう工夫した静電誘導トランジスタ。及びこの原理を用いたサイリスタを設けた誘導電動機。【選択図】図３
2008306909.tif 000002
【特許請求の範囲】
【請求項１】
誘導電動機（３）界磁（１）の中を回る電機子（２）は磁界の変化で回転する、誘導電動機の回転が回転磁界の速さと同じになると電気子は回転しなくなるので東北大学西澤潤一発明のサイリスタを整流子電極＋側に付けて磁界の変化を感じさせ電気を発生出来るサイリスタ（４）と誘導電動機を停止出きるＧＴＯ（５）並びに発電装置ブラシ（６）と整流子（７）を設け何時も磁界の変化を感じさせるサイリスタ発電機のサイリスタ誘導電動機（３）。  （参照＝１９９５年知恵蔵エレクト二クス、コンピューター／オートメーションｐ８３０）にあります。（参照して下さい）  注  このサイリスタ設けるのです。
【請求項２】
請求項１の電気を利用して普通車、大型トラック、電車のエンジンとするサイリスタ発電機のサイリスタ誘導電動機（３）。
【請求項３】
請求項１の電気を利用して船舶、客船、貨物船舶のエンジンとするサイリスタ発電機のサイリスタ誘導電動機（３）。
【請求項４】
サイリスタ（４）でゲートによって主電流を切ることが出来るゲート・ターンオフＧＴＯ（５）を設けた大型のサイリスタ発電機のサイリスタ誘導電動機（３）。
【請求項５】
請求項１の図面［図］３ブラシ（６）と整流子（７）を付ければ発電機となるサイリスタ発電機のサイリスタ誘導電動機（３）。
【請求項６】
［請求項１］の電気を利用して照明、道路標識信号の停電不測に利用出来る携帯用発電機であらゆる照明に利用出きるサイリスタ誘導電動機（３）。
【請求項７】
請求項１のエンジン利用してトンネルの掘削機で小島と小島の離島の間をトンネルでつなぎ同じエリアとして島間の格差を無くし国民全てが平和で平等の恩恵を受けられる様に地下トンネルを掘り結び付け一大エリアを作る為トンネルを掘る為の掘削機とブルドーザーの照明、エンジンとするサイリスタ誘導電動機（３）。
【請求項８】
請求項１のエンジンを利用して災害等の検証をする為無人又は有人のヘリコプターの監視カメラの照明、エンジンとするサイリスタ誘導電動機（３）。
【請求項９】
請求項１のエンジンを利用して空飛ぶ飛行機の監視カメラの照明、エンジンとするサイリスタ誘導電動機（３）。
【請求項１０】
請求項１のエンジンを利用して海水からサイリスタを密閉し海中の気圧に耐え得る材質で海底探査船の照明、エンジンとするサイリスタ誘導電動機（３）。
【請求項１１】
請求項１のエンジンを利用して平和利用の潜水艦（船）の照明、エンジンとするサイリスタ誘導電動機（３）。
【請求項１２】
請求項１のエンジンを利用して玩具又は動く物のエンジンとするサイリスタ誘導電動機（３）
請求項１のエンジンを利用して請求項１〜請求項１２までの請求項の項目の発明のエンジンを設けた特許請求の範囲。
【発明の詳細な説明】
【技術分野】
【０００１】  接合型電界効果トランジスタの一種で、チャンネル部の不純物を減らし、電流−電圧特性が飽和状態を示さないよう工夫したものをいう静電誘導トランジスタ。この原理を用いたサイリスタが東北大学の西澤潤一によって発明された。之を設けるから誘導電動機の回転の速さと回転磁界の速さは同じにならず、常に磁界の変化を感じるサイリスタを設けた誘導電動機に関するものである。
【背景技術】
【０００２】  この説明では、誘導電動機は回転磁界の中に銅板を置けば、うず電流が出来て、電流と磁界との間に力が働き、もし、このとき銅板を回転しやすくしておけば、銅板は、回転する磁界にしたがって、ぐるぐる回ると同じで、これを応用したものが誘導電動機です。しかし、モーターのように、火花の出る部分がなく、起動回転力は弱いが、サイリスタを図面  図３の３、誘導電動機の７、整流子電極＋側に付けることによって、動き出したら、窒素酸化物なしで、サイリスタ誘導電動機のサイリスタが飽和状態を示さない誘導電動機が生まれるのです、西澤潤一が発明した、トランジスタサイリスタによって誘導電動機が活発に動き窒素酸化物なしでも諸々の機関に窒素酸化物なしで利用出来るようになった。
【発明が解決しようとする課題】
【０００３】  誘導電動機を絶え間なく動かす技術が欲しかった。磁界の変化がなければ、うず電流は生まれなくなり、回転力はなくなります。之では、誘導電動機は使い物になりません。処があったのです。接合型電界効果トランジスタの一種で、チャンネル部の不純物を減らし、電流−電圧特性が飽和状態を示さないよう工夫したものをいう静電誘導トランジスタ。この原理を用いたサイリスタを設ける。西澤潤一発明のサイリスタ（１９９５年知恵蔵）頁８３０参照。
【課題を解決するための手段】
【０００４】  課題で欲しかった救いの４、サイリスタです（ごく僅かな電流で大電流を制御出来る半導体素子、電力制御や交直流の相互の交換に利用）。ｐｎｐｎ接合の３番目のｐ層にゲート電極を付け、スイッチ動作を行わせる半導体素子です。半導体中に電子がキャリアとなるｎ型層と正孔がキャリアとなるｐ型層が相接して存在する構造です。  サイリスタ（半導体）は電流を制御出来るスイッチ動作を行わせる最も基本な半導体素子。サイリスタはＧＴＯとしてもゲートによって主電流を切ることが出来る、ゲート・ターン・オフサイリスタを設ける。
（イ）  接合型電界効果トランジスタの一種で、チャンネル部の不純物を減らし、電流一電圧特性が飽和状態を示さないよう工夫したものをいう静電誘導トランジスタ。この原理を用いた東北大西澤潤一発明のサイリスタを［書類名］［図面］［図］３整流子電極＋側に設ける。
（ロ）  サイリスタはｐｎｐｎ接合の３番目のｐ層にゲート電極を付け、スイッチ動作を行わせる半導体素子。この構造では陽極（ｐ層）と陰極（ｎ層）間の電極−電圧特性に負性抵抗が現れる、そこでゲート電極から流れ込む電流の大きさに従って電流−電圧特性の動作点を移動することでオフ状態からオン状態への切り替えが出来るサイリスタを設ける。
（ハ）  サイリスタが動作点を移動するので、回転磁界と電機子の回転の早さは飽和状態にならず、何時も磁界の変化を感じて電流を生み続けるサイリスタを設ける。
（二）  図３  ６、プラシと７、整流子電極＋側に西澤潤一発明のサイリスタを設けたら、発電機となるサイリスタ誘導電動機。
（ホ）  接合型電界効果トランジスタの一種で、チャンネル部の不純物を減らし、電流−電圧特性が飽和状態を示さないよう工夫した静電誘導トランジスタ。この原理を用いたサイリスタが西澤潤一によって発明された。之を設けるから誘導電動機の回転の速さと回転磁界の速さは同じにならず、常に磁界の変化を感じるサイリスタを設ける。
（ヘ）  普通車、大型トラック、電車のエンジン諸々のエンジン等にサイリスタを設ける。
（ト）  客船、貨物船舶の誘導電動機のエンジンにも整流子電極＋側に静電誘導トランジスタのサイリスタを設ける。
【発明の効果】
【０００５】（イ）  誘導電動機は磁界の変化によって、うず電流が流れ、それによって電気子は回転するが、電気子の回転がだんだん速くなって、回転磁界の速さと同じになると、電機子は磁界の変化を感じなくなり回転が落ちていた之では使い物になりませんでした。今までの技術ではここまでしか分からなかったが、アナログ・トランジスタの原理を用いたサイリスタを設けたら飽和状態を示さなくなるサイリスタを設けたサイリスタ誘導電動機は安全である。
（ロ）  地球のオゾン層も復活させることが出来る。
（ハ）  窒素酸化物がないから地球温暖化も減少する。
【発明を実施するための最良の形態】
【０００６】  以下、本発明の実施の形態について説明する。
（イ）  ３、誘導電動機界磁内部に２、電機子を設ける。
（ロ）  ８、蓄電池を３、誘導電動機外部に設ける。
（ハ）  ５、ＧＴＯで緊急停止するかどうか確認する。
（二）  ２、整流子を確認する。
（ホ）  ６、ブラシを設ける。
（ヘ）  ４、西澤潤一発明の静電誘導トランジスタサイリスタを電極＋側に設ける。
（ト）  請求項８〜請求項１１までの項目の内容を設ける。
【図面の簡単な説明】
【０００７】
【図１】  電流の旅磁力線の数
【図２】  電流磁力線の数
【図３】  本発明の使用状態を示す斜視図
【符号の説明】
【０００８】    １  界磁
２  電機子
３  誘導電動機
４  サイリスタ（アナログ・トランジスタこの原理を用いたサイリスタが実用化されている）
５  ＧＴＯ
６  ブラシ
７  整流子
８  蓄電池
【図１】
2008306909.tif 000003
【図２】
2008306909.tif 000004
【図３】
2008306909.tif 000005
【手続補正書】
【提出日】平成19年6月8日(2007.6.8)
【手続補正２】
【補正対象書類名】図面
【補正対象項目名】全図
【補正方法】追加
【補正の内容】
【図１】
2008306909.tif 000006
【図２】
2008306909.tif 000007
【図３】
2008306909.tif 000008
【手続補正２】
【補正対象書類名】明細書
【補正対象項目名】０００８
【補正方法】変更
【補正の内容】
【０００８】  １、界磁  ２、電気子  ３、誘導電動機  ４、サイリスタ  ５、ＧＴＯ  ６、ブラシ  ７、整流子（電流の出入り口になっている）  ８、蓄電池  ９、金属片